(57)【要約】【課題】作業員等が頻繁に洗浄剤を補給しなくても、洗浄性の低下防止、洗浄水の凍結防止を実現できるウォッシャー用タンク装置を提供する。【解決手段】雨水又は融雪により得られる水を受ける受水口と、洗浄水用タンクと、前記受水口で受けた雨水又は前記融雪により得られる水を前記洗浄水用タンクに供給するために前記受水口と前記洗浄水用タンクとを連結する管路と、前記管路に設けられた電動開閉弁と、洗浄液用タンクと、前記洗浄液用タンクの洗浄液を前記洗浄水用タンクに供給する洗浄液供給手段と、前記電動開閉弁と前記洗浄液供給手段を制御する制御手段と、を備えることを特徴とする。【選択図】  図１
2007318226.tif 000002
【特許請求の範囲】
【請求項１】
雨水又は融雪により得られる水を受ける受水口と、
洗浄水用タンクと、
前記受水口で受けた雨水又は前記融雪により得られる水を前記洗浄水用タンクに供給するために前記受水口と前記洗浄水用タンクとを連結する管路と、
前記管路に設けられた電動開閉弁と、
洗浄液用タンクと、
前記洗浄液用タンクの洗浄液を前記洗浄水用タンクに供給する洗浄液供給手段と、
前記電動開閉弁と前記洗浄液供給手段を制御する制御手段と、
を備えることを特徴とするウォッシャー用タンク装置。
【請求項２】
前記制御手段は、前記洗浄水用タンクに供給された水量に基づいて定まる量の洗浄液を前記洗浄水用タンクに供給するように前記洗浄液供給手段を制御することを特徴とする請求項１に記載のウォッシャー用タンク装置。
【請求項３】
前記制御手段は、前記洗浄水用タンク内の清浄水濃度が予め定められた濃度となる量の洗浄液を前記洗浄水用タンクに供給するように前記洗浄液供給手段を制御することを特徴とする請求項１に記載のウォッシャー用タンク装置。
【請求項４】
雨滴センサと、
前記洗浄水用タンク内の洗浄水の量を検出する洗浄水量センサと、
を備え、
前記制御手段は、前記雨滴センサ及び洗浄水量センサの検出値に基づいて、前記電動開閉弁を開閉制御することを特徴とする請求項１から３のいずれかに記載のウォッシャー用タンク装置。
【請求項５】
前記洗浄液用タンク内の洗浄液の有無を検出する洗浄液有無センサをさらに備え、
前記洗浄液有無センサにより前記洗浄液用タンク内の洗浄液が無いことが検出された場合には、自己に隣接して設置されているテレビカメラの映像にその旨の表示を写し込ませることを特徴とする請求項１から４のいずれかに記載のウォッシャー用タンク装置。
【請求項６】
前記制御手段に制御信号を入力するリモート操作部を備えることを特徴とする請求項１から５のいずれかに記載のウォッシャー用タンク装置。
【請求項７】
前記受水口と前記洗浄水用タンクとの間に前記雨水又は融雪により得られた水を濾過するフィルターをさらに備えることを特徴とする請求項１から６のいずれかに記載のウォッシャー用タンク装置。
【請求項８】
雨水又は融雪により得られる水を受ける受水口と、
混合用タンクと、
前記受水口で受けた雨水又は前記融雪により得られる水を前記混合用タンクに供給するために前記受水口と前記混合用タンクとを連結する第１管路と、
前記第１管路に設けられた第１電動開閉弁と、
洗浄液用タンクと、
前記洗浄液用タンクの洗浄液を前記混合用タンクに供給する洗浄液供給手段と、
洗浄水用タンクと、
前記混合用タンクで混合された洗浄水を前記洗浄水用タンクに供給するために前記混合用タンクと前記洗浄水用タンクとを連結する第２管路と、
前記第２管路に設けられた第２電動開閉弁と、
前記第１電動開閉弁、前記第２電動開閉弁、及び前記洗浄液供給手段を制御する制御手段と、
を備えることを特徴とするウォッシャー用タンク装置。
【請求項９】
前記混合用タンクに供給された洗浄液と水とを撹拌するための撹拌手段をさらに備えることを特徴とする請求項８に記載のウォッシャー用タンク装置。
【発明の詳細な説明】
【技術分野】
【０００１】
本発明は、特に遠隔操作されるテレビカメラの撮影窓を洗浄するウォッシャー装置に用いられ、洗浄水を貯留するタンク装置の構造に関する。
【背景技術】
【０００２】
従来、ビル屋上、鉄塔等に設置される監視カメラ等のテレビカメラは、雲台に支持され、離れた場所の監視室等で遠隔操作される。このテレビカメラは、例えばパン（左右方向）、チルト（上下方向）等へ動かされ、これによって捉えられた領域の映像をモニタ等へ表示することができる。また、このテレビカメラの撮影窓（ガラス）には、ワイパーが設けられると共に、ウォッシャー装置の洗浄水ノズルが配置され、この洗浄ノズルから洗浄水を撮影窓へ噴き付けて洗浄ができるようになっている。
【０００３】
即ち、このウォッシャー装置として、供給ポンプ及びタンクを備えたタンク装置がテレビカメラの近傍に配置されており、タンク内の洗浄水をポンプにより洗浄ノズルまで供給することにより、この洗浄ノズルから撮影窓へ向けて洗浄水を噴射することができる。
【０００４】
しかしながら、このウォッシャー装置では、所定容量のタンク内に入れてある洗浄水がなくなれば、洗浄水を補充する必要があるが、タンク装置はビル屋上や鉄塔等の危険な場所に配置されていることが多く、洗浄水の補充作業が大変であるという問題があった。
【０００５】
この問題を解消するために、雨水を洗浄水として利用するウォッシャー装置が提案されている（特許文献１）。
【０００６】
この特許文献１に記載のウォッシャー装置は、雨水を受けるための受水口と、この受水口の水を貯留するタンクとを備えており、これにより、作業員等によることなく、タンク本体に洗浄水を補給することが可能となっている。そして、このウォッシャー装置では、洗浄性の向上、洗浄水の凍結防止等の観点より、タンク内に固形の洗浄剤が投入されるようになっている。
【特許文献１】特開平１０−１３３２５８号公報
【発明の開示】
【発明が解決しようとする課題】
【０００７】
しかしながら、固形の洗浄剤は数ヶ月程度でその効果が失われるので、作業員等が頻繁に洗浄剤を補給しなければならないという問題があった。
【０００８】
本発明は上記問題点に鑑みてなされたものであり、その目的は、作業員等が頻繁に洗浄剤を補給しなくても、洗浄性の低下防止、洗浄水の凍結防止を実現できるウォッシャー用タンク装置を提供することにある。
【課題を解決するための手段】
【０００９】
本発明は上記課題を解決するためになされたものであり、請求項１に記載の発明は、  雨水又は融雪により得られる水を受ける受水口と、洗浄水用タンクと、前記受水口で受けた雨水又は前記融雪により得られる水を前記洗浄水用タンクに供給するために前記受水口と前記洗浄水用タンクとを連結する管路と、前記管路に設けられた電動開閉弁と、洗浄液用タンクと、前記洗浄液用タンクの洗浄液を前記洗浄水用タンクに供給する洗浄液供給手段と、前記電動開閉弁と前記洗浄液供給手段を制御する制御手段と、を備えることを特徴とする。
【００１０】
請求項１に記載の発明によれば、制御手段を備えているので、例えば、降雨時に電動開閉弁を開くように該弁を制御することにより、受水口で受けた雨水を管路を介して洗浄水タンクに所定量供給し、これとともに、洗浄液タンクの洗浄液を洗浄水タンクに所定量補給するように洗浄液供給手段を制御することにより、洗浄水タンク内に雨水と洗浄液との混合水からなる洗浄水を補給することが可能となる。すなわち、従来のように従業員等が頻繁に洗浄液を補給しなくても、洗浄水を補給することが可能となる。しかも、洗浄水はその都度新規に生成されることになるから洗浄性の低下を防止することが可能となる。また、洗浄液の供給量を制御することにより洗浄水の濃度を調整可能であるから（例えば冬期の濃度を夏期の濃度よりも高くする）、洗浄水の凍結防止を実現することが可能となる。さらに、洗浄液タンクとして比較的サイズの大きいものを採用することにより、従業員等が洗浄液を補給しなくても、極めて長期にわたり、洗浄水を補給することが可能となる。
【００１１】
請求項２に記載の発明は、請求項１に記載の発明において、前記制御手段は、前記洗浄水用タンクに供給された水量に基づいて定まる量の洗浄液を前記洗浄水用タンクに供給するように前記洗浄液供給手段を制御することを特徴とする。
【００１２】
請求項２に記載の発明によれば、洗浄水タンクに供給された雨水の量に基づいて定まる量の洗浄液が洗浄水タンクに供給されるから、洗浄水タンク内の洗浄水濃度を略一定に保つことが可能となる。
【００１３】
請求項３に記載の発明は、請求項１に記載の発明において、前記制御手段は、前記洗浄水用タンク内の清浄水濃度が予め定められた濃度となる量の洗浄液を前記洗浄水用タンクに供給するように前記洗浄液供給手段を制御することを特徴とする。
【００１４】
請求項３に記載の発明によれば、洗浄水タンク内の洗浄水濃度が予め定められた濃度となる量の洗浄液が洗浄水タンクに供給されるから、洗浄水タンク内の洗浄水濃度を略一定に保つことが可能となる。
【００１５】
請求項４に記載の発明は、請求項１から３のいずれかに記載の発明において、雨滴センサと、前記洗浄水用タンク内の洗浄水の量を検出する洗浄水量センサと、を備え、前記制御手段は、前記雨滴センサ及び洗浄水量センサの検出値に基づいて、前記電動開閉弁を開閉制御することを特徴とする。
【００１６】
請求項４に記載の発明によれば、例えば、雨滴センサにより降雨か否かを判定し、降雨であると判定されると電動開閉弁を開くように該弁を制御することにより、受水口で受けた雨水を洗浄水タンクに所定量供給し、これとともに、洗浄液タンクの洗浄液を洗浄水タンクに所定量供給するように洗浄液供給手段を制御することにより、洗浄水タンク内に雨水と洗浄液との混合水からなる洗浄水を自動的に補給することが可能となる。また、洗浄水量センサにより雨水が目標レベルまで供給されたか否かを判定し、目標レベルまで供給されたと判定されると、電動開閉弁を閉じるように該弁を制御することにより、それ以上雨水を洗浄水タンクに供給しないようにすることが可能となる。
【００１７】
請求項５に記載の発明は、請求項１から４のいずれかに記載の発明において、前記洗浄液用タンク内の洗浄液の有無を検出する洗浄液有無センサをさらに備え、前記洗浄液有無センサにより前記洗浄液用タンク内の洗浄液が無いことが検出された場合には、自己に隣接して設置されているテレビカメラの映像にその旨の表示を写し込ませることを特徴とする。
【００１８】
請求項５に記載の発明によれば、洗浄液タンク内の洗浄液が無いことが検出された場合には、自己に隣接して設置されているテレビカメラの映像にその旨の表示を写し込ませるので、遠隔の地においてテレビカメラの映像を確認することで、洗浄液タンク内の洗浄液が無いこと（すなわち洗浄液の補給が必要になったこと）を把握することが可能となる。
【００１９】
請求項６に記載の発明は、請求項１から５のいずれかに記載の発明において、前記制御手段に制御信号を入力するリモート操作部を備えることを特徴とする。
【００２０】
請求項６に記載の発明によれば、例えば、リモート操作部を遠隔の地に設けることにより、遠隔から、電動開閉弁及び洗浄液供給手段を制御することが可能となる。
【００２１】
請求項７に記載の発明は、請求項１から６のいずれかに記載の発明において、前記受水口と前記洗浄水用タンクとの間に前記雨水又は融雪により得られた水を濾過するフィルターをさらに備えることを特徴とする。
【００２２】
請求項７に記載の発明によれば、フィルターを備えているので洗浄水の洗浄度が高まるから、洗浄水噴射の際の詰まりを防止し得るとともに、洗浄をより清浄に行うことが可能となる。
【００２３】
請求項８に記載の発明は、雨水又は融雪により得られる水を受ける受水口と、混合用タンクと、前記受水口で受けた雨水又は前記融雪により得られる水を前記混合用タンクに供給するために前記受水口と前記混合用タンクとを連結する第１管路と、前記第１管路に設けられた第１電動開閉弁と、洗浄液用タンクと、前記洗浄液用タンクの洗浄液を前記混合用タンクに供給する洗浄液供給手段と、洗浄水用タンクと、前記混合用タンクで混合された洗浄水を前記洗浄水用タンクに供給するために前記混合用タンクと前記洗浄水用タンクとを連結する第２管路と、前記第２管路に設けられた第２電動開閉弁と、前記第１電動開閉弁、前記第２電動開閉弁、及び前記洗浄液供給手段を制御する制御手段と、を備えることを特徴とする。
【００２４】
請求項８に記載の発明によれば、制御手段を備えているので、自動で又は遠隔から、例えば、降雨時に第１電動開閉弁を開くように該弁を制御することにより、受水口で受けた雨水を混合タンクに所定量供給し、これとともに、洗浄液タンクの洗浄液を混合タンクに所定量供給するように洗浄液供給手段を制御することにより、混合タンク内で雨水と洗浄液との混合水からなる洗浄水を生成することが可能となる。そして、第２電動開閉弁を開くように該弁を制御することにより、混合後の洗浄水が洗浄水タンクに供給される。すなわち、従来のように従業員等が頻繁に洗浄液を補給しなくても、洗浄水を補給することが可能となる。しかも、洗浄水はその都度新規に生成されることになるから洗浄性の低下を防止することが可能となる。また、洗浄液の供給量を制御することにより洗浄水の濃度を調整可能であるから（例えば冬期の濃度を夏期の濃度よりも高くする）、洗浄水の凍結防止を実現することが可能となる。さらに、洗浄液タンクとして比較的サイズの大きいものを採用することにより、従業員等が洗浄液を補給しなくても、極めて長期にわたり、洗浄水を補給することが可能となる。さらに、洗浄水タンク内に供給される洗浄水は混合タンクで混合されたものなので、請求項１に記載のものと比較してより均一化された洗浄水を供給することが可能となる。
【００２５】
請求項９に記載の発明は、請求項８に記載の発明において、記混合用タンクに供給された洗浄液と水とを撹拌するための撹拌手段をさらに備えることを特徴とする。
【００２６】
請求項９に記載の発明によれば、混合タンクに供給された洗浄液と雨水とは撹拌手段により撹拌されるので、より均一化された洗浄水を供給することが可能となる。
【発明の効果】
【００２７】
本発明によれば、作業員等が頻繁に洗浄剤を補給しなくても、洗浄性の低下防止、洗浄水の凍結防止を実現できるウォッシャー用タンク装置を提供することが可能となる。
【発明を実施するための最良の形態】
【００２８】
本発明の第１実施形態である撮影窓ウォッシャー用タンク装置（以下タンク装置ということがある）について図面を参照しながら説明する。
【００２９】
図１乃至図４には、本実施形態に係る撮影窓ウォッシャー用タンク装置及びテレビカメラとテレビレンズが接続されたテレビカメラ装置を取り付けた雲台装置が示されており、まず図３により全体の構成を説明する。図３において、テレビレンズ１１は雲台１２に取り付けられ、この雲台１２が鉄塔等の載置部１３に固定されており、この雲台１２の２軸のそれぞれの駆動により、テレビレンズ１１はパン動作及びチルト動作をすることになる。
【００３０】
また、上記テレビレンズ１１の前面の撮影窓ガラス１４には、ワイパー１５が配置されると共に、撮影窓ガラス１４の枠部分に噴射ノズル１６が取り付けられており、この噴射ノズル１６は、撮影窓ガラス１４の中心部へ洗浄水を噴射するように位置決めされる。この噴射ノズル１６は、供給パイプ１７を介してタンク装置１８に取り付けられる。一方、監視室等の遠隔地に、リモート操作部２０が設けられ、このリモート操作部２０には、パン、チルトの操作をするジョイスティック２１等と共に、洗浄水スイッチ２２、ワイパースイッチ２３、雨水供給スイッチ４０、洗浄液供給スイッチ４１等が配置される。
【００３１】
タンク装置１８とリモート操作部２０とは各種の形態で接続することが可能である。図４は、両者を電話回線や光ファイバー等の通信回線４４で接続した例である。リモート操作部２０の各スイッチ（洗浄水スイッチ２２、ワイパースイッチ２３、雨水供給スイッチ４０、洗浄液供給スイッチ４１等）がオンオフされると、その制御信号がシリアル通信変換部４３、通信回線４４、及び中継器５０を介して制御部６０に伝達される。この伝達を受けた制御部６０の制御により、電動開閉弁３０、ポンプ４２、ポンプ３５等がオンオフされる。
【００３２】
図１には、上記タンク装置１８の詳細な構成が示されている。このタンク装置１８は、タンク本体２７を備えている。タンク本体２７は内壁２７ａにより区画されており、図１中右の区画が洗浄水タンク２７ｂ、左の区画が洗浄液タンク２７ｃとされている。
【００３３】
タンク本体２７の上方には、受水口２５が設けられている。この受水口２５の上側には薄板状のろ過用フィルタ２８が設けられている。タンク装置１８は外部環境に晒されているので、降雨の際に、雨水がろ過用フィルタ２８によりろ過されて下方の受水口２５に落下する。受水口２５の底面は傾斜面となっており、その下端にろ過用フィルタ２９が設けられている。受水口２５に落下した雨水は傾斜面に沿って流れ、ろ過用フィルタ２９によりろ過される。
【００３４】
ろ過用フィルタ２９と洗浄水タンク２７ｂとは連結管２６により連結されている。連結管２６には、制御部６０により開閉制御される電動開閉弁３０が設けられている。
【００３５】
図２（Ａ）に示すように、この電動開閉弁３０の弁体３２を開くように電動開閉弁３０を制御することにより、ろ過用フィルタ２９によりろ過された雨水は、連結管２６を介して洗浄水タンク２７ｂに供給される。一方、図２（Ｂ）に示すように、電動開閉弁３０の弁体３２を閉じるように電動開閉弁３０を制御することにより、ろ過用フィルタ２９によりろ過された雨水は、洗浄水タンク２７ｂに供給されることなく、連結管２６の途中から斜め上方に向かって分岐する排出管３１（逃がし管）から外部環境に排出される。
【００３６】
洗浄水タンク２７ｂには、制御部６０により制御される電動ポンプ３５によりタンク２７ｂ内の洗浄水を吸引するための吸引パイプ３４が挿入されている。この吸引パイプ３４により吸引された洗浄水は、供給パイプ１７を介して噴射ノズル１６から噴射される。
【００３７】
洗浄水タンク２７ｂには制御部６０に接続された水位センサ７０が設けられており、洗浄水の水位（あるいは水量）を検出可能となっている。すなわち、制御部６０には水位センサ７０のセンサ出力が入力され、制御部６０はそのセンサ出力に基づいて各種の制御（電動開閉弁３０、電動ポンプ３５等）を行うことが可能となっている。また、タンク本体２７の上面には制御部６０に接続された雨滴センサ７１が設けられており、雨滴の有無（すなわち降雨の有無）を検出可能となっている。すなわち、制御部６０には雨滴センサ７１のセンサ出力が入力され、制御部６０はそのセンサ出力に基づいて各種の制御（電動開閉弁３０、電動ポンプ３５等）を行うことが可能となっている。
【００３８】
一方、洗浄液タンク２７ｃには、制御部６０により制御される電動ポンプ４２によりタンク２７ｃ内の洗浄液（例えば高濃度の洗浄液）を吸引するための吸引パイプ３６が挿入されている。この吸引パイプ３６により吸引された洗浄液は、その先端が洗浄水タンク２７ｂに位置する供給パイプ３８を介して洗浄水タンク２７ｂに供給される。
【００３９】
洗浄液タンク２７ｃには制御部６０に接続された洗浄液有無検出センサ７２が設けられており、洗浄液の有無を検出可能となっている。すなわち、制御部６０には洗浄液有無検出センサ７２のセンサ出力が入力され、制御部６０はそのセンサ出力に基づいて各種の制御（例えば自己に隣接して設置されているテレビレンズ１１の映像にその旨の表示を写し込ませるべく、テレビレンズ１１のハウジングに設けられたランプ等を点灯する旨の指示を出力する）を行うことが可能となっている。
【００４０】
なお、制御部６０は、図１に示すように、タンク本体２７内部に設けるようにしてもよいし、あるいは、図４に示すように、タンク本体２７外部に設けるようにしてもよい。
【００４１】
次に、上記のように構成された撮影窓ウォッシャー用タンク装置の動作について図面を参照しながら説明する。
【００４２】
図５は、撮影窓ウォッシャー用タンク装置の動作について説明するためのフローチャートである。以下の動作は、メモリ（図示せず）に読み込まれた所定プログラムを制御部６０が実行することにより実現される。
【００４３】
タンク装置１８においては、雨滴センサ７１により雨滴が検出され（ステップＳ１０：Ｙ）、かつ、水位センサ７０により検出された水位が補水が必要な水位であることを示している（ステップＳ１２：Ｙ）のであれば、制御部６０は、図２（Ａ）に示すように、電動開閉弁３０を開くように該弁３０を制御する（ステップＳ１４）。これにより、ろ過用フィルタ２９によりろ過された雨水は、連結管２６を介して洗浄水タンク２７ｂに供給される（ステップＳ１６）。
【００４４】
水位センサ７０により検出された水位が目標レベル（ＭＡＸレベル）に達すると（ステップＳ１８：Ｙ）、制御部６０は、図２（Ｂ）に示すように、電動開閉弁３０を閉じるように該弁３０を制御する（ステップＳ２０）。これにより、ろ過用フィルタ２９によりろ過された雨水は、洗浄水タンク２７ｂに供給されることなく、連結管２６の途中から斜め上方に向かって分岐する排出管３１（逃がし管）から外部環境に排出される。
【００４５】
次に、制御部６０は、洗浄液タンク２７ｃの洗浄液を洗浄水タンクに所定量補給するように電動ポンプ４２（洗浄液供給手段に相当）を制御する（ステップＳ２２）。例えば所定時間ポンプ４２を駆動する。これにより、吸引パイプ３６により吸引された洗浄液が供給パイプ３８を介して洗浄水タンク２７ｂに供給される。すなわち、洗浄水タンク内に雨水と洗浄液との混合水からなる洗浄水を補給することが可能となる。なお、ステップＳ２２においては、例えば、洗浄水タンク２７ｂに供給された雨水の量に基づいて定まる量の洗浄液を洗浄水タンク２７ｂに供給するように制御することが考えられる。あるいは、洗浄水タンク２７ｂ内の洗浄水濃度が予め定められた濃度となる量の洗浄液を洗浄水タンク２７ｂに供給するように制御することが考えられる。このようにすれば、洗浄水タンク内の洗浄水濃度を略一定に保つことが可能となる。
【００４６】
以上説明したように、本実施形態の撮影窓ウォッシャー用タンク装置によれば、従来のように従業員等が頻繁に洗浄液を補給しなくても、自動的に洗浄水を補給することが可能となる。しかも、洗浄水はその都度新規に生成されることになるから洗浄性の低下を防止することが可能となる。また、洗浄液の供給量を制御することにより洗浄水の濃度を調整可能であるから（例えば冬期の濃度を夏期の濃度よりも高くする）、洗浄水の凍結防止を実現することが可能となる。さらに、洗浄液タンクとして比較的サイズの大きいものを採用することにより、従業員等が洗浄液を補給しなくても、極めて長期にわたり、洗浄水を補給することが可能となる。
【００４７】
なお、上記実施形態においては、メモリ（図示せず）に読み込まれた所定プログラムを制御部６０が実行することにより自動的に洗浄水の供給を行うように説明したが、本発明はこれに限定されない。例えば、遠隔に設けられたリモート操作部２０の雨水供給スイッチ４０、洗浄液供給スイッチ４１を操作することにより手動で洗浄水の供給を行ってもよい。
【００４８】
この場合、降雨かどうかを確認する。この確認は、例えば、テレビレンズ１１により周囲環境を撮影した映像から判断する。その結果、周囲環境に降雨が認められたのであれば、リモート操作部２０の雨水供給スイッチ４０をオンする。このスイッチ４０がオンされると、図４に示すように、その制御信号がシリアル通信変換部４３、通信回線４４、及び中継器５０を介して制御部６０に伝達される。この伝達を受けた制御部６０は、図２（Ａ）に示すように、電動開閉弁３０を開くように該弁３０を制御する。これにより、ろ過用フィルタ２９によりろ過された雨水は、連結管２６を介して洗浄水タンク２７ｂに供給される。そして、洗浄水タンク２７ｂの水位が所定レベルに達した後、雨水供給スイッチ４０をオフする。この伝達を受けた制御部６０は、図２（Ｂ）に示すように、電動開閉弁３０を閉じるように該弁３０を制御する。これにより、ろ過用フィルタ２９によりろ過された雨水は、洗浄水タンク２７ｂに供給されることなく、連結管２６の途中から斜め上方に向かって分岐する排出管３１（逃がし管）から外部環境に排出される。
【００４９】
次に、洗浄液供給スイッチ４１をオンする。この伝達を受けた制御部６０は、洗浄液タンク２７ｃの洗浄液を洗浄水タンクに所定量補給するように電動ポンプ４２（洗浄液供給手段に相当）を制御する（ステップＳ２２）。例えば所定時間ポンプ４２を駆動する。これにより、吸引パイプ３６により吸引された洗浄液が供給パイプ３８を介して洗浄水タンク２７ｂに供給される。すなわち、洗浄水タンク内に雨水と洗浄液との混合水からなる洗浄水を補給することが可能となる。なお、リモート操作部２０の洗浄水スイッチ２２を押すと、ポンプ３５が作動し、上記タンク本体２７内に溜まった水３７（洗浄水）が供給パイプ１７を介して噴射ノズル１６へ供給される。従って、このノズル１６から洗浄水が撮影窓ガラス１４へ向けて噴射される。なお、このとき、ワイパースイッチ２３を押してワイパー１５を動作させれば、噴き付けた洗浄水を払拭することができる。
【００５０】
以上のように、本実施形態の撮影窓ウォッシャー用タンク装置によれば、手動によっても上記と同様の効果を奏することが可能となる。
【００５１】
次に、本発明の第２実施形態である撮影窓ウォッシャー用タンク装置（以下タンク装置ということがある）について図面を参照しながら説明する。図６は第２実施形態の撮影窓ウォッシャー用タンク装置の構成を説明するための図である。なお、第１実施形態と同一の構成については同一の符号を付す。
【００５２】
本実施形態のタンク装置８０は、第１実施形態のタンク装置１８に雨水と洗浄液とを混合するための混合タンク２７ｅを設け、このタンク２７ｅで混合した結果得られた洗浄水を洗浄水タンク２７ｂに供給するものである。以下、具体的に説明する。
本実施形態に係る撮影窓ウォッシャー用タンク装置８０は、図３に示した第１実施形態のタンク装置１８と同様に配置される。監視室等の遠隔地に設けられたリモート操作部２０には、パン、チルトの操作をするジョイスティック２１等と共に、洗浄水スイッチ２２、ワイパースイッチ２３、雨水供給スイッチ４０、洗浄液供給スイッチ４１、洗浄水（混合水）供給水供給スイッチ（図示せず）等が配置される。
【００５３】
タンク装置８０とリモート操作部２０とは各種の形態で接続することが可能である。この接続形態については第１実施形態で既に説明したのでその説明を省略する。
【００５４】
タンク装置８０は、タンク本体２７を備えている。タンク本体２７は内壁２７ａにより左右に区画されており、図６中左の区画が洗浄液タンク２７ｃとされている。また、タンク本体２７は内壁２７ｄにより上下に区画されており、図６中下の区画が洗浄水タンク２７ｂ、上の区画が混合タンク２７ｅとされている。
【００５５】
タンク本体２７の上方には、受水口２５が設けられている。この受水口２５の上側には薄板状のろ過用フィルタ２８が設けられている。タンク装置１８は外部環境に晒されているので、降雨の際に、雨水がろ過用フィルタ２８によりろ過されて下方の受水口２５に落下する。受水口２５の底面は傾斜面となっており、その下端にろ過用フィルタ２９が設けられている。受水口２５に落下した雨水は傾斜面に沿って流れ、ろ過用フィルタ２９によりろ過される。
【００５６】
次に混合タンク２７ｅについて説明する。
【００５７】
ろ過用フィルタ２９と混合タンク２７ｅとは連結管２６により連結されている。連結管２６には、制御部６０により開閉制御される電動開閉弁３０が設けられている。
【００５８】
図２（Ａ）に示すように、この電動開閉弁３０の弁体３２を開くように電動開閉弁３０を制御することにより、ろ過用フィルタ２９によりろ過された雨水は、連結管２６を介して混合タンク２７ｅに供給される。一方、図２（Ｂ）に示すように、電動開閉弁３０の弁体３２を閉じるように電動開閉弁３０を制御することにより、ろ過用フィルタ２９によりろ過された雨水は、混合タンク２７ｅに供給されることなく、連結管２６の途中から斜め上方に向かって分岐する排出管３１（逃がし管）から外部環境に排出される。
【００５９】
混合タンク２７ｅには制御部６０に接続された水位センサ７３が設けられており、生成された洗浄水（混合液）の水位（あるいは水量）を検出可能となっている。すなわち、制御部６０には水位センサ７３のセンサ出力が入力され、制御部６０はそのセンサ出力に基づいて各種の制御（電動開閉弁３０、電動ポンプ３５等）を行うことが可能となっている。
【００６０】
次に洗浄液タンク２７ｃについて説明する。洗浄液タンク２７ｃには、制御部６０により制御される電動ポンプ４２によりタンク２７ｃ内の洗浄液（例えば高濃度の洗浄液）を吸引するための吸引パイプ３６が挿入されている。この吸引パイプ３６により吸引された洗浄液は、その先端が混合タンク２７ｅに位置する供給パイプ３８を介して混合タンク２７ｅに供給される。
【００６１】
洗浄液タンク２７ｃには制御部６０に接続された洗浄液有無検出センサ７２が設けられており、洗浄液の有無を検出可能となっている。すなわち、制御部６０には洗浄液有無検出センサ７２のセンサ出力が入力され、制御部６０はそのセンサ出力に基づいて各種の制御（例えば自己に隣接して設置されているテレビレンズ１１の映像にその旨の表示を写し込ませるべく、テレビレンズ１１のハウジングに設けられたランプ等を点灯する旨の指示を出力する）を行うことが可能となっている。
【００６２】
以上のように混合タンク２７ｅにはろ過用フィルタ２９によりろ過された雨水と洗浄液が供給され、このタンク２７ｅにおいて混合され洗浄液が生成される。
【００６３】
次に洗浄水タンク２７ｂについて説明する。
【００６４】
混合タンク２７ｅと洗浄水タンク２７ｂとは連結管８１により連結されている。連結管８１には、制御部６０により開閉制御される電動開閉弁８２が設けられている。
【００６５】
この電動開閉弁８２の弁体を開くように電動開閉弁８２を制御することにより、混合された洗浄水は、連結管８１を介して洗浄水タンク２７ｂに供給される。一方、電動開閉弁８２の弁体を閉じるように電動開閉弁８２を制御することにより、その供給を停止することができる。
【００６６】
洗浄水タンク２７ｂには、制御部６０により制御される電動ポンプ３５によりタンク２７ｂ内の洗浄水を吸引するための吸引パイプ３４が挿入されている。この吸引パイプ３４により吸引された洗浄水は、供給パイプ１７を介して噴射ノズル１６から噴射される。
【００６７】
洗浄水タンク２７ｂには制御部６０に接続された水位センサ７０が設けられており、洗浄水の水位（あるいは水量）を検出可能となっている。すなわち、制御部６０には水位センサ７０のセンサ出力が入力され、制御部６０はそのセンサ出力に基づいて各種の制御（電動開閉弁３０、電動ポンプ３５等）を行うことが可能となっている。また、タンク本体２７の上面には制御部６０に接続された雨滴センサ７１が設けられており、雨滴の有無（すなわち降雨の有無）を検出可能となっている。すなわち、制御部６０には雨滴センサ７１のセンサ出力が入力され、制御部６０はそのセンサ出力に基づいて各種の制御（電動開閉弁３０、電動ポンプ３５等）を行うことが可能となっている。
【００６８】
なお、制御部６０は、図１に示すように、タンク本体２７内部に設けるようにしてもよいし、あるいは、図４に示すように、タンク本体２７外部に設けるようにしてもよい。
【００６９】
次に、上記のように構成された撮影窓ウォッシャー用タンク装置の動作について図面を参照しながら説明する。
【００７０】
図７は、撮影窓ウォッシャー用タンク装置の動作について説明するためのフローチャートである。以下の動作は、メモリ（図示せず）に読み込まれた所定プログラムを制御部６０が実行することにより実現される。
【００７１】
タンク装置８０においては、雨滴センサ７１により雨滴が検出され（ステップＳ３０：Ｙ）、かつ、水位センサ７０及び７３により検出された水位が補水が必要な水位であることを示している（ステップＳ３２：Ｙ）のであれば、制御部６０は、電動開閉弁３０を開くように該弁３０を制御する（ステップＳ３４）。これにより、ろ過用フィルタ２９によりろ過された雨水は、連結管２６を介して混合タンク２７ｅに供給される（ステップＳ３６）。
【００７２】
水位センサ７３により検出された水位が目標レベル（ＭＡＸレベル）に達すると（ステップＳ３８：Ｙ）、制御部６０は、電動開閉弁３０を閉じるように該弁３０を制御する（ステップＳ４０）。これにより、ろ過用フィルタ２９によりろ過された雨水は、洗浄水タンク２７ｂに供給されることなく、連結管２６の途中から斜め上方に向かって分岐する排出管３１（逃がし管）から外部環境に排出される。
【００７３】
次に、制御部６０は、洗浄液タンク２７ｃの洗浄液を洗浄水タンクに所定量補給するように電動ポンプ４２（洗浄液供給手段に相当）を制御する（ステップＳ４２）。例えば所定時間ポンプ４２を駆動する。これにより、吸引パイプ３６により吸引された洗浄液が供給パイプ３８を介して混合タンク２７ｅに供給される。すなわち、タンク２７ｅにおいて混合され洗浄液が生成される。各液を均質に混合するためにタンク２７ｅにスクリュー等の撹拌手段を設けてもよい。なお、ステップＳ４２においては、例えば、混合タンク２７ｅに供給された雨水の量に基づいて定まる量の洗浄液を混合タンク２７ｅに供給するように制御することが考えられる。あるいは、混合タンク２７ｅ内の洗浄水濃度が予め定められた濃度となる量の洗浄液を混合タンク２７ｅに供給するように制御することが考えられる。このようにすれば、混合タンク２７ｅ内の洗浄水濃度を略一定に保つことが可能となる。
【００７４】
次に、制御部６０は、電動開閉弁８２を開くように該弁８２を制御する（ステップＳ４４）。これにより、混合タンク２７ｅの洗浄液は、連結管８１を介して洗浄水タンク２７ｂに供給される。
【００７５】
洗浄液の供給が完了すると（例えば一定時間経過の後）、制御部６０は、電動開閉弁８２を閉じるように該弁８２を制御する（ステップＳ４６）。
【００７６】
そして、水位センサ７３により検出された水位が目標レベル（ＭＡＸレベル）に達すると（ステップＳ４８：Ｙ）以上の処理を終了するが、目標レベルに達していなければ、制御部６０は、上記ステップＳ３４〜Ｓ４８までの処理を繰り返す。
【００７７】
以上説明したように、本実施形態の撮影窓ウォッシャー用タンク装置によれば、従来のように従業員等が頻繁に洗浄液を補給しなくても、自動的に洗浄水を補給することが可能となる。しかも、洗浄水はその都度新規に生成されることになるから洗浄性の低下を防止することが可能となる。また、洗浄液の供給量を制御することにより洗浄水の濃度を調整可能であるから（例えば冬期の濃度を夏期の濃度よりも高くする）、洗浄水の凍結防止を実現することが可能となる。さらに、洗浄液タンクとして比較的サイズの大きいものを採用することにより、従業員等が洗浄液を補給しなくても、極めて長期にわたり、洗浄水を補給することが可能となる。さらに、洗浄水タンク内に供給される洗浄水は混合タンクで混合されたものなので、第１実施形態のものと比較してより均一化された洗浄水を供給することが可能となる。
【００７８】
なお、上記実施形態においては、メモリ（図示せず）に読み込まれた所定プログラムを制御部６０が実行することにより自動的に洗浄水の供給を行うように説明したが、本発明はこれに限定されない。例えば、遠隔に設けられたリモート操作部２０の雨水供給スイッチ４０、洗浄液供給スイッチ４１、混合液供給スイッチ（図示せず）を操作することにより手動で洗浄水の供給を行ってもよい。
【００７９】
この場合、降雨かどうかを確認する。この確認は、例えば、テレビレンズ１１により周囲環境を撮影した映像から判断する。その結果、周囲環境に降雨が認められたのであれば、リモート操作部２０の雨水供給スイッチ４０をオンする。このスイッチ４０がオンされると、その制御信号が制御部６０に伝達される。この伝達を受けた制御部６０は、電動開閉弁３０を開くように該弁３０を制御する。これにより、ろ過用フィルタ２９によりろ過された雨水は、連結管２６を介して混合タンク２７ｅに供給される。そして、混合タンク２７ｅの水位が所定レベルに達した後、雨水供給スイッチ４０をオフする。この伝達を受けた制御部６０は、電動開閉弁３０を閉じるように該弁３０を制御する。これにより、ろ過用フィルタ２９によりろ過された雨水は、混合タンク２７ｅに供給されることなく、連結管２６の途中から斜め上方に向かって分岐する排出管３１（逃がし管）から外部環境に排出される。
【００８０】
次に、洗浄液供給スイッチ４１をオンする。この伝達を受けた制御部６０は、洗浄液タンク２７ｃの洗浄液を混合タンク２７ｅに所定量補給するように電動ポンプ４２（洗浄液供給手段に相当）を制御する。例えば所定時間ポンプ４２を駆動する。これにより、吸引パイプ３６により吸引された洗浄液が供給パイプ３８を介して混合タンク２７ｅに供給される。
【００８１】
次に、洗浄水供給スイッチ（図示せず）をオンする。この伝達を受けた制御部６０は、
電動開閉弁８２を開くように該弁８２を制御する。これにより、これにより、混合タンク２７ｅの洗浄液は、連結管８１を介して洗浄水タンク２７ｂに供給される。すなわち、洗浄水タンク２７ｂ内に雨水と洗浄液との混合水からなる洗浄水を補給することが可能となる。
【００８２】
なお、リモート操作部２０の洗浄水スイッチ２２を押すと、ポンプ３５が作動し、上記タンク本体２７内に溜まった水３７（洗浄水）が供給パイプ１７を介して噴射ノズル１６へ供給される。従って、このノズル１６から洗浄水が撮影窓ガラス１４へ向けて噴射される。なお、このとき、ワイパースイッチ２３を押してワイパー１５を動作させれば、噴き付けた洗浄水を払拭することができる。
【００８３】
以上のように、本実施形態の撮影窓ウォッシャー用タンク装置によれば、手動によっても上記と同様の効果を奏することが可能となる。
【００８４】
上記各実施形態においては、雨水を受水口２５で受け、この雨水を洗浄水として利用するように説明したが本発明はこれに限定されない。
【００８５】
例えば、ろ過用フィルタ２８上にリモート操作部２０によりオンオフ可能なヒーターパネル（図示せず）を設け、このヒーターパネルに積雪した雪を融雪し、この融雪により得られた水を洗浄水として利用するようにしてもよい。これによっても上記と同様の効果を奏することが可能である。なお、この融雪により得られた水がフィルタ２８に到達しやすいように、ヒーターパネルには貫通孔を形成しておくのが望ましい。
【００８６】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００８７】
【図１】本発明の第１実施形態である撮影窓ウォッシャー用タンク装置の構成を説明するための図である。
【図２】電動開閉弁３０の開閉動作を説明するための図である。
【図３】本発明の実施形態である撮影窓ウォッシャー用タンク装置が適用される撮影システムの構成を説明するための図である。
【図４】タンク装置１８（タンク装置８０も同様）とリモート操作部２０との接続例を説明するための図である。
【図５】本発明の第１実施形態である撮影窓ウォッシャー用タンク装置の動作を説明するためのフローチャートである。
【図６】本発明の第２実施形態である撮影窓ウォッシャー用タンク装置の構成を説明するための図である。
【図７】本発明の第２実施形態である撮影窓ウォッシャー用タンク装置の動作を説明するためのフローチャートである。
【符号の説明】
【００８８】
１１…テレビレンズ、１２…雲台、１３…載置部、１４…撮影窓ガラス、１５…ワイパー、１６…噴射ノズル、１７…供給パイプ、１８…撮影窓ウォッシャー用タンク装置、２０…リモート操作部、２１…ジョイスティック、２２…洗浄水スイッチ、２３…ワイパースイッチ、２５…受水口、２６…連結管、２７…タンク本体、２７ａ…内壁、２７ｂ…洗浄水タンク、２７ｃ…洗浄液タンク、２７ｄ…内壁、２７ｅ…混合タンク、２８…ろ過用フィルタ、２９…ろ過用フィルタ、３０…電動開閉弁、３１…排出管、３２…弁体、３４…吸引パイプ、３５…電動ポンプ、３６…吸引パイプ、３７…雨水、３８…供給パイプ、４０…雨水供給スイッチ、４１…洗浄液供給スイッチ、４２…電動ポンプ、４３…シリアル通信変換部、４４…通信回線、４５…ヒーターパネル、４５ａ…表面、４５ｂ…貫通孔、４６…洗浄水供給スイッチ、５０…中継器、６０…制御部、７０…水位センサ、７１…雨滴センサ、７２…洗浄液有無検出センサ、７３…水位センサ、８０…撮影窓ウォッシャー用タンク装置、８１…連結管、８２…電動開閉弁
【図１】
2007318226.tif 000003
【図２】
2007318226.tif 000004
【図３】
2007318226.tif 000005
【図４】
2007318226.tif 000006
【図５】
2007318226.tif 000007
【図６】
2007318226.tif 000008
【図７】
2007318226.tif 000009